(57)【要約】【課題】球遊び通路に放出された遊技球の斬新でユーモラスな動作により遊技球の転動動作に変化に富んだ視覚的な面白みが与えられ、これにより遊技の興趣が一段と高められるようにした弾球遊技機の可変表示装置を提供する。【解決手段】遊技球が転動するステージ部２０を設けた可変表示装置１２であって、ステージ部２０に外部から視認できかつその中央部を挟んで長手方向に沿った両側の内少なくとも一方に設けられ、内周面は通路幅方向の断面形状が弧状に成形されると共に中央部側を向く一側端面２１ａが開放する球遊び通路２１と、球遊び通路２１にはその通路幅方向に対し一側端面２１ａ側に傾斜させた方向へ向けて遊技球を放出する放出樋部２７とを備え、球遊び通路２１に放出された遊技球は通路幅方向に前後に揺れ動きながら徐々に中央部側へ移動するようにした。【選択図】図２
2005211597.tif 000002
【特許請求の範囲】
【請求項１】
表示部の前側に遊技盤面を流下する遊技球が受け入れられてから転動するステージ部を設けた可変表示装置であって、
前記ステージ部に外部から視認できかつその中央部を挟んで長手方向に沿った両側の内少なくとも一方に設けられ、前記遊技球が転動し得る内周面は通路幅方向の断面形状が弧状に成形されると共に前記中央部側を向く一側端面が開放する球遊び通路と、前記球遊び通路にはその通路幅方向に対し前記一側端面側に傾斜する方向へ向けて遊技球を放出する放出樋部とを備え、
前記放出樋部を介して前記球遊び通路に放出された遊技球は通路幅方向に前後に揺れ動きながら徐々に前記一側端面側へ移動しつつ前記ステージ部上面に排出されるようにしたことを特徴とする弾球遊技機の可変表示装置。
【発明の詳細な説明】
【技術分野】
【０００１】
この発明は、弾球遊技機における遊技盤面に装着され文字、数字等の情報を変動表示させるようにした弾球遊技機の可変表示装置に関するものである。
【背景技術】
【０００２】
一般的に、弾球遊技機の一種であるフィーバータイプと称されるパチンコ遊技機は、遊技盤面のほぼ中央に文字、数字等の情報を変動表示するようにした可変表示装置が装着され、また、その下方に始動入賞口が配置され、更にその下方に入賞装置が配置されている。そして、前記始動入賞口にパチンコ球が入賞すると、表示部の情報が変動表示し一定の時間経過後に停止して特定の表示を示す。この表示が、例えば「７７７」といった数字を示し遊技者にとって有利な特別遊技状態になったとき、一定の条件の下で前記入賞装置の開閉扉を所定回数開成させ一度に多くの入賞球が得られるようにしている。よって、遊技者は特別遊技状態になる確率を高くするため前記始動入賞口に少しでも多くのパチンコ球が入ることを期待している。
【０００３】
このことから、前記可変表示装置には、表示部の前側に位置し遊技盤面を流下するパチンコ球を受け入れてから容易に遊技盤面に戻さないように緩やかに転動させる段上のステージ部が設けられている。そして、少しの間遊技者に始動入賞口へ入賞するといった期待感と入賞しないかもしれないという不安感を交錯させて抱かせるようにし、これにより遊技の興趣を高めるようにしている（例えば、特許文献１参照。）。
【特許文献１】特開２０００−３００７４７号公報（第３−４頁、図４）
【発明の開示】
【発明が解決しようとする課題】
【０００４】
しかしながら、前記特許文献１における弾球遊技機の可変表示装置にあっては、ステージ部の上面がほぼ水平面状に成形されており、受け入れられたパチンコ球はほとんどそのステージ部の上面をその長手方向に沿って左右に往復転動しつつその前縁から落下して遊技盤面に戻される。このように、ステージ部に受け入れられたパチンコ球は、同じステージ部の上面を左右にほぼ直線的に往復動作するといった転動動作しか行わず、その動きが単調でマンネリ化しており視覚的な面白さに欠け遊技者に飽きられているのが現状であって、この点に関し遊技の興趣を高める必要性が叫ばれている。
【０００５】
そこで、本発明は上記課題に鑑みてなされたもので、放出樋部を介して球遊び通路に放出された遊技球を通路幅方向に前後に揺れ動きながら徐々に中央部の一側端面側へ移動させつつステージ部上面に排出させるといった斬新でユーモラスな動作を行わせるようにしている。これにより、遊技球の転動動作に変化に富んだ視覚的な面白みが与えられ、遊技者には期待感と不安感とを抱かせ遊技の興趣を一段と高めるようにした弾球遊技機の可変表示装置を提供することを目的とするものである。
【課題を解決するための手段】
【０００６】
かかる目的を達成するため本発明に係る弾球遊技機の可変表示装置は、表示部の前側に遊技盤面を流下する遊技球が受け入れられてから転動するステージ部を設けた可変表示装置であって、前記ステージ部に外部から視認できかつその中央部を挟んで長手方向に沿った両側の内少なくとも一方に設けられ、遊技球が転動し得る内周面は通路幅方向の断面形状が弧状に成形されると共に中央部側を向く一側端面が開放する球遊び通路と、球遊び通路にはその通路幅方向に対し一側端面側に傾斜する方向へ向けて遊技球を放出する放出樋部とを備え、放出樋部を介して球遊び通路に放出された遊技球は通路幅方向に前後に揺れ動きながら徐々に前記一側端面側へ移動しつつステージ部上面に排出されるようにした構成からなる。
【０００７】
前記球遊び通路は、その内周面の極率半径が開放する一側端面まで全体に亘り同一である場合、または、その内周面の極率半径が開放する一側端面側に向かうに従い漸次大きくなる場合、または、その内周面の極率半径が開放する一側端面側に向かうに従い漸次小さくなる場合の三通りがある。
【発明の効果】
【０００８】
本発明は、ステージ部に外部から視認できかつその中央部を挟んで長手方向に沿った両側の内少なくとも一方に設けられ、遊技球が転動し得る内周面は通路幅方向の断面形状が弧状に成形されると共に前記中央部側を向く一側端面が開放する球遊び通路と、球遊び通路にはその通路幅方向に対し前記一側端面側に傾斜する方向へ向けて遊技球を放出する放出樋部とを備えている。よって、前記放出樋部を介して球遊び通路に放出された遊技球は、通路幅方向に前後に揺れ動きながら徐々に中央部の一側端面側へ移動して排出されるといった斬新でユーモラスな動作をすることとなって遊技球の転動動作に変化に富んだ視覚的な面白みが与えられ、これにより遊技の興趣が一段と高められるという効果がある。
【０００９】
また、球遊び通路の内周面の極率半径が開放する一側端面側に向かうに従い漸次大きくなるようにすれば、揺れ動きながら一側端面側へ徐々に移動する遊技球は比較的減衰が少なく一側端面側からはほとんど方向が定まらず自由な方向へ排出される。これにより、方向性に変化に富んだ視覚的面白みが加えられ、遊技の興趣が一段と高められるという効果がある。
【００１０】
更に、球遊び通路の内周面の極率半径が開放する一側端面側に向かうに従い漸次小さくなるようにすれば、揺れ動きながら一側端面側へ徐々に移動する遊技球は大きく減衰され一側端面では一定の位置からほぼ同じ方向へ排出される。これにより、始動入賞口への入賞が設定し易いばかりか、遊技者の期待感が高まり遊技の興趣が一段と高められるという効果がある。
【発明を実施するための最良の形態】
【００１１】
以下、本発明に係る弾球遊技機の可変表示装置の実施の形態を図面に基づき説明する。弾球遊技機にはパチンコ遊技機、雀球遊技機、アレパチ機、アレンジボール機があり、本発明はいずれにも適用できるが、この内、パチンコ遊技機について説明する。
【００１２】
先に、本願発明が適用されるパチンコ遊技機について説明する。図１は本発明が適用されるパチンコ遊技機の正面図である。図において、１はパチンコ遊技機Ｐにおける木製の外枠であって縦長方形枠状に成形されている。その前面に前枠２がその一側上下部を前記外枠１の一側上下部に設けた軸支部３，３に軸支して回動自在に装着される。前記前枠２の裏側に遊技盤４が配置固定されている。そして、前記前枠２の前面に、遊技盤４前面の遊技部４ａを覆う２枚の透明板であるガラス板５を備えた透明板保持枠６が回動可能に装着される。また、透明板保持枠６の下方には前板７が回動自在に装着される。
【００１３】
前記前板７の前面に、貯留される遊技球としてのパチンコ球を発射部（図示せず。）に供給するための打球供給皿８が装着される。また、前枠２の下部前面には、前記打球供給皿８から溢れるパチンコ球を貯留する余剰球受皿９が装着されている。１０は前記前枠２の下部前面の一側に設けられ、発射部から打ち出されるパチンコ球の打球力の強弱を調節する操作ハンドルである。
【００１４】
前記遊技盤４の前面に、遊技部４ａを囲うように内側ガイドレール１１ａと外側ガイドレール１１ｂとが渦巻き状に敷設される。前記遊技部４ａには、ほぼ中央に表示部１２ａを備えた可変表示装置１２が配置され、また、その下方にパチンコ球の入賞により前記表示部１２ａの文字、数字、図形等の情報を変動表示させる始動入賞口１３が配置される。更に、その下方に位置して前記変動した情報が一定の時間経過後に停止して特定の表示（例えば、「７７７」）を示し、遊技者にとって有利な特別遊技状態になったとき、一定の条件の下で開閉扉１４ａを所定回数開成させて一度に多くの入賞球が得られる入賞装置１４が配置される。また、１５，１５はその両側に配設される一般入賞口である。
【００１５】
次に、前記可変表示装置１２について詳しく説明する。図２は遊技盤面に装着された可変表示装置の要部の斜視図、図２は同平面図、図３は同側面断面図である。この可変表示装置１２は、遊技盤４面に当接する取付基板１６を有し、その中央に開口１７が開設されている。取付基板１６の前面に開口１７の上縁を覆うようにして装飾部材１８が装着される。また、取付基板１６の裏側に前面の表示部１２ａが前記開口１７に臨むようにして装置本体１９が配置されている。これにより、遊技者は前記開口１７を介して表示部１２ａを見ることができるようになっている。
【００１６】
前記表示部１２ａは、取付基板１６より後方へ奥まって位置しており、その下方に腰板部１６ａが張設され、その腰板部１６ａと取付基板１６との間に遊技盤４面を流下するパチンコ球が受け入れられてから転動するステージ部２０が成形されている。そして、ステージ部２０の上面に、その中央部を挟んで長手方向に沿った両側に遊技盤４面と平行に位置させて球遊び通路２１，２１が設けられる。各球遊び通路２１は、上面が開放される樋状に成形され外部から視認できるようになっている。また、各球遊び通路２１におけるパチンコ球が転動し得る内周面は通路幅方向の断面形状が弧状に成形されると共に前記中央部側を向く一側端面２１ａが開放している。この場合、その内周面の極率半径は、基端側から先端側の開放する一側端面２１ａまで全体に亘り同一である。また、その各底面部は一側端面２１ａ側に向かうに従い僅かに下傾している方が好ましい。
【００１７】
前記ステージ部２０の中央部には、長手方向の中央部寄りが肉厚となる畝部２２が横方向に沿って設けられ、またその中央に、前後方向に横断状に切り欠かれた誘導溝２３が設けられている。この誘導溝２３の真下には遊技盤４面に装着された前記始動入賞口１３が位置することになり、前記誘導溝２３を通って落下したパチンコ球は始動入賞口１３に入賞する機会が多くなることになる。
【００１８】
一方、前記開口１７の両外側であって取付基板１６の後側にワープ通路２４，２４が設けられている。各ワープ通路２４は上端の流入口２５が前記装飾部材１８の両側に配され、下端の各流出口２６が図３，図４に示すように各球遊び通路２１の上方であってその中心線に沿った位置よりも一方へずれて位置している。更に、前記各流出口２６部位の放出樋部２７は、そこから各球遊び通路２１に放出されたパチンコ球がその通路幅方向に対し前記中央部側、すなわち一側端面２１ａ側に傾斜する方向へ向けて放出されるように設定される。これにより、前記各球遊び通路２１に放出されたパチンコ球は通路幅方向に前後に揺れ動きながら徐々に一側端面２１ａ側へ移動して、その一側端面２１ａからステージ部２０上面に排出される。
【００１９】
本発明の可変表示装置１２は上記構成からなり、遊技盤４面を流下するパチンコ球で流入口２５からいずれかのワープ通路２４に入ったパチンコ球Ｂは、その下端の放出樋部２７を介して流出口２６から球遊び通路２１に放出される。そして、その球遊び通路２１に放出されたパチンコ球Ｂは、図２、図３に示すように球遊び通路２１の内周面であってその通路幅方向に前後に揺れ動きながら徐々に一側端面２１ａ側へ移動して排出されるといった斬新でユーモラスな動作をすることとなってパチンコ球の転動動作に変化に富んだ視覚的な面白みが与えられる。
【００２０】
前記いずれかの球遊び通路２１の一側端面２１ａからステージ部２０の中央部に排出されたパチンコ球であって、あるパチンコ球Ｂ１は図２、図３に示すように畝部２２の上面に乗って斜め前方に転動しステージ部２０の前縁から遊技盤４面に落下する。この場合は、始動入賞口１３に入賞する機会が少ない。また、あるパチンコ球Ｂ２は畝部２２の奥へ入り込み、誘導溝２３に誘導されてそのままステージ部２０の前縁から遊技盤４面に落下する。この場合は、始動入賞口１３に入賞する機会が多くなる。
【００２１】
図５は遊技盤面に装着された他の実施の形態に係る可変表示装置の要部の斜視図である。なお、該可変表示装置２８は、本発明に係る可変表示装置１２と構成が似ているので、同一部位は同一番号を付すことによって詳しい説明は省略する。この可変表示装置２８では、両球遊び通路２１，２１の一側端面２１ａ，２１ａ間に前後方向を向く球送り溝２９が設けられ、この球送り溝２９真下の遊技盤４面に始動入賞口１３が装着される。また、両球遊び通路２１，２１の一側端面２１ａ，２１ａ側の前縁に球逃げ溝３０，３０が設けられている。
【００２２】
前記開口１７の両側であって、その内周縁面に沿ってワープ通路３１，３１が設けられる。この各ワープ通路３１は、前後に配置される水平通路部３１ａとその後端部に連通状に連なる垂直通路部３１ｂとからなる。そして、各垂直通路部３１ｂの下端は開放されると共にその下端が前記各球遊び通路２１の中心線方向を向きかつ該中心線位置よりも一方へずれて臨んでいる。また、前記各球遊び通路２１の上面であって各垂直通路部３１ｂの下端と対向する位置に、内面が凹弧状に成形され前記各垂直通路部３１ｂの下端から排出されるパチンコ球を各球遊び通路２１の通路幅方向に対し一側端面２１ａ側に傾斜する方向へ向けてパチンコ球を放出する放出部材３２が突設されている。
【００２３】
この場合も、遊技盤４面を流下するパチンコ球であって水平通路部３１ａの前端からいずれかのワープ通路３１に入ったパチンコ球は、水平通路部３１ａ、垂直通路部３１ｂを介して球遊び通路２１に放出される。このとき、あるパチンコ球は放出部材３２によりその通路幅方向に前後に揺れ動きながら徐々に一側端面２１ａ側へ移動し、その一側端面２１ａから中央部の球送り溝２９に入ってそのまま下方へ落下する。このパチンコ球Ｂ３は始動入賞口１３に入賞する機会が多くなる。一方、その途中で球逃げ溝３０に入ったパチンコ球Ｂ４は斜め下方といった自由な方向へ落下する。このパチンコ球Ｂ４は、始動入賞口１３に入賞する機会が少なくなる。このような構成の可変表示装置２８も本発明の目的は十分達成できる。
【００２４】
図６（イ）（ロ）は他の実施の形態に係る球遊び通路を示すもので、ステージ部２０上面の中央部を挟んで長手方向に沿った両側にそれぞれ球遊び通路２１１，２１１が位置して設けられている。各球遊び通路２１１は、その内周面の極率半径がステージ部２０の中央部側を向きかつ開放する一側端面２１１ａ側に向かうに従い漸次大きくなっている。また、各球遊び通路２１１の底面は一側端面２１１ａ側に向かうに従い僅かに下傾していることが好ましい。この場合、その球遊び通路２１１の内周面を転動するパチンコ球Ｂ５は、図６（イ）に示すように前後に揺れ動きながら一側端面２１１ａ側へ徐々に移動するも比較的減衰が少なく、このため一側端面２１１ａからはほとんど方向が定まらず自由な方向へ排出される。よって、方向性に変化に富んだ視覚的面白みが加えられる。
【００２５】
図７（イ）（ロ）も他の実施の形態に係る球遊び通路を示すもので、ステージ部２０上面の中央部を挟んで長手方向に沿った両側にそれぞれ球遊び通路２１２，２１２が位置して設けられている。各球遊び通路２１２は、その内周面の極率半径がステージ部２０の中央部側を向きかつ開放する一側端面２１２ａ側に向かうに従い漸次小さくなっている。また、各球遊び通路２１２の底面は一側端面２１２ａ側に向かうに従い僅かに下傾していることが好ましい。この場合、その球遊び通路２１２の内周面を転動するパチンコ球Ｂ６は、図７（イ）に示すように前後に揺れ動きながら一側端面２１２ａ側へ徐々に移動するも大きく減衰され、一側端面２１２ａでは一定の位置からほぼ同じ横方向へ排出される。よって、畝部２２の誘導溝２３に入り易く、始動入賞口１３へ入賞する機会が多くなり、これにより遊技者の期待感が高まる。
【００２６】
前記各球遊び通路２１１，２１２は、前記いずれの可変表示装置１２，２８にも使用できるものである。また、図示は省略するが、前記両可変表示装置１２，２８において、ステージ部２０が上下二段ある場合は、各段にそれぞれ前記各球遊び通路２１，２１１，２１２のいずれかを設けるようにしても良い。例えば、上段のステージ部に前記中央部側を向く一側端面に向かうに従い内周面の極率半径が小さくなる球遊び通路２１２，２１２を配置し、下段のステージ部に前記中央部側を向く一側端面に向かうに従い内周面の極率半径が大きくなる球遊び通路２１１，２１１を配置するようにすれば、上段の球遊び通路２１２，２１２を転動するパチンコ球は始導入賞口１３に入賞する機会が多く、これに対し、下段の球遊び通路２１１，２１１を転動するパチンコ球は始導入賞口１３に入賞する機会が少なくなるように設定できる。
【００２７】
更に、ステージ部２０には中央部を挟んで長手方向に沿った両側にそれぞれ球遊び通路２１，２１１，２１２を配置したが、少なくともいずれか一方のみでも良い。また、各球遊び通路２１，２１１，２１２は外部から視認できれば良いことから、例えば一側端面が開放される透明な中空管であっても良いこと勿論である。
【図面の簡単な説明】
【００２８】
【図１】本発明が適用されるパチンコ遊技機の正面図。
【図２】遊技盤面に装着された可変表示装置の要部の斜視図。
【図３】同平面図。
【図４】同側面断面図。
【図５】遊技盤面に装着された他の実施の形態に係る可変表示装置の要部の斜視図。
【図６】（イ）は他の実施の形態に係る球遊び通路の平面図であり、（ロ）は同側面図。
【図７】（イ）は他の実施の形態に係る球遊び通路の平面図であり、（ロ）は同側面図。
【符号の説明】
【００２９】
４                    遊技盤
１２                  可変表示装置
１２ａ                表示部
２０                  ステージ部
２１                  球遊び通路
２７                  放出樋部
Ｂ，Ｂ１，Ｂ２        遊技球（パチンコ球）
Ｐ                    弾球遊技機（パチンコ遊技機）
【図１】
2005211597.tif 000003
【図２】
2005211597.tif 000004
【図３】
2005211597.tif 000005
【図４】
2005211597.tif 000006
【図５】
2005211597.tif 000007
【図６】
2005211597.tif 000008
【図７】
2005211597.tif 000009